(57)【要約】刻たばこの気流乾燥機は、刻たばこの供給セクション（１４）とタンジェンシャルセパレータ（１８）との間を接続する乾燥ダクト（１６）を備え、乾燥ダクト（１６）は、供給セクション１４から３０°〜６０°の仰角を存して直線的に延びる上流側ダクト部分（１６ａ）と、上方に向けて凸に湾曲した下流側ダクト部分（１６ｂ）とを有する。乾燥ダクト（１６）内を流れる乾燥ガスは過熱水蒸気を含むことができる。
2003046453.tif 000002
【特許請求の範囲】
【請求項１】
粒状材料を乾燥するための気流乾燥機は、
ガス流路と、
前記ガス流路内に所定温度の乾燥ガス流を一方向に発生させる送風手段と、
前記ガス流路に介挿され、前記乾燥ガス流により乾燥処理すべき粒状材料を前記ガス流路内に供給可能な供給セクションであって、前記粒状材料は前記乾燥ガス流とともに移送され、この移送過程にて乾燥される、供給セクションと、
前記ガス流路に前記供給セクションよりも下流に位置して設けられ、前記乾燥ガス流から前記乾燥済みの粒状材料を分離し、前記ガス流路から排出する分離セクションと
を備え、
前記ガス流路は、前記供給セクションと前記分離セクションとの間を接続し、且つ、前記供給セクションから供給された前記粒状材料を前記乾燥ガス流とともに前記分離セクションに向けて案内する乾燥ダクトを含み、前記乾燥ダクトは上方に向けて凸の湾曲形状を有する。
【請求項２】
請求項１の気流乾燥機において、
前記乾燥ダクトは、
前記供給セクションから上方に向けて直線的に延び、且つ、水平面に対して所定の仰角を有した上流側ダクト部分と、
前記上流側ダクト部分及び前記分離セクションにそれぞれ滑らかに連なり、且つ、所定の曲率半径を有する湾曲した下流側ダクト部分と
を含む。
【請求項３】
請求項２の気流乾燥機において、
前記上流側ダクト部分の仰角は３０°〜６０°の範囲にある。
【請求項４】
請求項１の気流乾燥機において、
前記供給セクションは、
前記乾燥ダクトに接続されたベンチュリダクトであって、スロートと、前記乾燥ダクトの前記上流側ダクト部分に対して一直線に連なる下流部分とを有したベンチュリダクトと、
前記スロートの直下流に規定された供給位置にて前記ベンチュリダクト内に前記粒状材料を投入するロータリフィーダと
を含む。
【請求項５】
請求項４の気流乾燥機において、
前記ベンチュリダクト及び前記乾燥ダクトはそれらの長手方向に沿って矩形の流路断面形状をそれぞれ有し、
前記ベンチュリダクトの流路断面はその長手方向に沿って一定の幅を有する。
【請求項６】
請求項５の気流乾燥機において、
前記スロートは、前記ベンチュリダクトの底壁と前記ベンチュリダクトの天井壁の一部との間にて規定され、前記天井壁の一部は縦断面でみて略Ｖ字形状をなしている。
【請求項７】
請求項６の気流乾燥機において、
前記ベンチュリダクトの底壁は、前記スロートの下流に縦断面でみて略Ｖ字形をなす下流側底部分を有し、前記下流側底部分は、前記ベンチュリダクトの流路断面積を一時的に増加させるディープ領域を規定する。
【請求項８】
請求項６の気流乾燥機において、
前記ベンチュリダクトの底壁は直線的に延びている。
【請求項９】
請求項１の気流乾燥機において、
前記分離セクションは、水平軸線を有したタンジェンシャルセパレータを含む。
【請求項１０】
請求項９の気流乾燥機において、
前記タンジェンシャルセパレータは、
円筒状をなしたセパレータハウジングであって、
前記セパレータハウジングは、その外周の最上部に水平方向に開口して配置され、前記乾燥ダクトから前記乾燥ガス流とともに前記粒状材料を導入させるインレットと、
前記セパレータハウジングの外周の最下部に下方に開口して配置され、前記セパレータハウジングから前記粒状材料を排出させるアウトレットと、
前記セパレータハウジングの端面に前記水平軸線に対して偏心して開口され、前記セパレータハウジング内から前記乾燥ガスを排出する排気口と、
前記セパレータハウジングの外周の最下部を形成し、前記アウトレットに向けて収束するように互いに対向した一対のリニア壁部と
を有する、セパレータハウジングと、
前記セパレータハウジングの前記アウトレットに接続され、前記セパレータハウジング内から前記アウトレットを通じて前記粒状材料を取出すロータリフィーダと
を含む。
【請求項１１】
請求項１０の気流乾燥機において、
前記分離セクションは、
前記ロータリフィーダの下方に複数段のシュートを更に含み、前記シュートは鉛直方向に所定の間隔を存して一列に配置されており、前記ロータリフィーダから取り出された前記粒状材料は、前記シュート間から外気を引込みながら前記シュートを順次通過する。
【請求項１２】
請求項１の気流乾燥機において、
前記粒状材料はシガレットのための刻たばこであり、
前記乾燥ガスは過熱水蒸気を含み、且つ、乾燥後の前記刻たばこの水分量を９〜１４重量％にすべく１６０〜２６０℃の乾燥温度及び２．４〜１１．８ｋｇ／ｋｇの絶対湿度を有する。
【請求項１３】
請求項１の気流乾燥機において、
前記粒状材料はシガレットのための刻たばこであり、
前記乾燥ガスは過熱水蒸気を含み、且つ、乾燥後の前記刻たばこの水分量を１２〜１４重量％にすべく１６０〜１９０℃の乾燥温度及び２．４〜１１．８ｋｇ／ｋｇの絶対湿度を有する。
【請求項１４】
請求項１２又は１３の気流乾燥機において、
前記ガス流路は前記乾燥ガスの循環経路を形成し、
前記気流乾燥機は、前記循環経路から前記乾燥ガスの流量の１０％以上を排気する排気手段を更に含む。
【請求項１５】
請求項１の気流乾燥機において、
前記粒状材料は液化二酸化炭素が含浸された刻たばこであり、
前記乾燥ガスは過熱水蒸気を含み、且つ、乾燥後の刻たばこの水分量を２〜９重量％にすべく２５０〜３８０℃の乾燥温度及び２．４〜１１．８ｋｇ／ｋｇの絶対湿度を有する。
【請求項１６】
請求項１の気流乾燥機において、
前記乾燥ガスは、乾燥後の刻たばこの水分量を９〜１２重量％にすべく２００〜３００℃の乾燥温度を有する。
【請求項１７】
請求項１５又は１６の気流乾燥機において、
前記ガス流路は前記乾燥ガスの循環経路を形成し、
前記気流乾燥機は、前記循環経路から前記乾燥ガスの流量の１０％以上を排気する排気手段を更に含む。
【発明の詳細な説明】
技術分野
本発明は、加熱された乾燥ガス流とともに粒状材料を移送し、この移送過程にて粒状材料を乾燥ガス流により乾燥する気流乾燥機に係わり、特にシガレットのためのフィラーの乾燥に好適した気流乾燥機に関する。
背景技術
シガレットのためのフィラーは、主脈が取り除かれた葉たばこ、主脈及び再生たばこ等の原料が単独又は混合された状態で裁刻された刻たばこ、又は、膨化処理された刻たばこを含んでおり、これら刻たばこは所定の粒度、即ち、サイズを有する。
このような刻たばこの製造プロセスにて、通常、刻たばこは液状香料の付加処理、即ち、フレーバリング処理を受け、この処理後の刻たばこの水分量は高い。それ故、フレーバリング処理後の刻たばこは、シガレット製造機に供給される前の段階で、所望の水分量まで乾燥されなければならない。また、膨化処理される刻たばこは、その水分量が高いのみならず、含浸剤（液化二酸化炭素）をも含んでいる。
上述した刻たばこの乾燥処理にはシリンダ乾燥機や気流乾燥機が一般的に使用される。気流乾燥機はシリンダ乾燥機に比べて、刻たばこを短時間で乾燥できるので、乾燥処理能力が高く、シガレットの生産性を高める上で好適する。
一般的に、この種の気流乾燥機は、乾燥ガスが流れるガス流路と、このガス流路にそれぞれ介挿された送風機、ヒータ、刻たばこの受取りセクション及び分離セクションとを含み、これらはガス流路の上流側から順番に配置されている。
ガス流路内に受取りセクションを通じて供給された刻たばこは、乾燥ガス流とともに、受取りセクションから分離セクションに向けて移送され、この移送過程にて、刻たばこは乾燥される。乾燥後、刻たばこは分離セクション内にて乾燥ガス流から分離され、分離セクションから取り出される。
刻たばこが乾燥処理される場合、刻たばこは均一に乾燥されなければならない。即ち、刻たばこの乾燥が不均一な場合、例えば刻たばこが過乾燥された場合、刻たばこは刺激臭を発生し、刻たばこの風味や味覚が損なわれ、この結果、シガレットの品質もまた悪化する。
上述したように刻たばこはその移送過程にて乾燥されることから、受取りセクションから分離セクションまでのガス流路の部位、即ち、乾燥流路には刻たばこを乾燥処理する上で、十分な長さが確保されていなければならず、乾燥流路は必然的に長くならざるを得ない。このため、乾燥流路は１個以上の屈曲部を有し、これにより、乾燥流路の設置に要するスペースが縮小されている。
しかしながら、乾燥流路中に屈曲部が存在していると、この屈曲部を通過する際、刻たばこは破砕され易い。また、刻たばこは屈曲部にて滞留し易く、このような滞留は刻たばこの乾燥を不均一にする。
一方、シガレットの燃焼時、刻たばこから発生する煙には有害な成分が含まれているとされているので、刻たばこの気流乾燥により、煙中の有害な成分が低減されれば、気流乾燥機は刻たばこの乾燥により好適する。
発明の開示
本発明の目的は、乾燥処理されるべき粒状材料の破砕を低減でき、且つ、粒状材料の均一な乾燥が可能な気流乾燥機を提供することにある。また、本発明の目的は、粒状材料がシガレットのための刻たばこである場合には、刻たばこから発生する煙中の有害な成分を同時に低減することができる気流乾燥機を提供することにある。
上述の目的を達成するため、本発明の気流乾燥機は、ガス流路と、このガス流路内に所定温度の乾燥ガス流を一方向に発生させる送風手段と、ガス流路に介挿され、乾燥ガス流により乾燥処理すべき粒状材料をガス流路内に供給可能な供給セクションであって、粒状材料は乾燥ガス流とともに移送され、この移送過程にて乾燥される、供給セクションと、ガス流路に供給セクションよりも下流に位置して設けられ、乾燥ガス流から乾燥済みの粒状材料を分離し、ガス流路から排出する分離セクションとを備えており、ここで、ガス流路は、供給セクションと分離セクションとの間を接続し、且つ、供給セクションから供給された粒状材料を乾燥ガス流とともに分離セクションに向けて案内する乾燥ダクトを含み、乾燥ダクトは上方に向けて凸の湾曲形状を有する。
上述した気流乾燥機によれば、乾燥ダクト中に屈曲部が存在していないので、受取りセクションからガス流路内の乾燥ガス流中に投入された粒状材料は乾燥ダクト内にて滞留することなく、ガス流とともに乾燥ダクト内を円滑に流れ、分離セクションまで導かれる。この結果、粒状材料の破砕が低減され、粒状材料は均一に乾燥される。
具体的には、乾燥ダクトは、供給セクションから上方に向けて直線的に延び、水平面に対して所定の仰角を有する上流側ダクト部分と、上流側ダクト部分及び分離セクションのそれぞれに滑らかに連なり、所定の曲率半径を有する湾曲した下流側ダクト部分とを含むことができる。この場合、上流側ダクト部分の仰角は３０°〜６０°の範囲にある。
上述した乾燥ダクトによれば、乾燥ダクト内に投入された粒状材料は上流側ダクト部分内を乾燥ガス流とともに急角度で吹き上げられる。この際、粒状材料は乾燥ガス中に良好に分散され、粒状材料の均一な乾燥が促進される。
一方、供給セクションは、乾燥ダクトに接続されたベンチュリダクトであって、スロートと、乾燥ダクトの上流側ダクト部分に対して一直線に連なる下流部分とを有したベンチュリダクトと、スロートの直下流に規定された供給位置にてベンチュリダクト内に粒状材料を投入するロータリフィーダとを含む。好ましくは、ベンチュリダクト及び乾燥ダクトはそれらの長手方向に沿って矩形の流路断面形状をそれぞれ有し、ベンチュリダクトの流路断面はその長手方向に沿って一定の幅を有する。
上述した供給セクションによれば、ベンチュリダクトの流路断面の幅がベンチュリダクトの長手方向に一定であるから、ベンチュリダクト内の乾燥ガス流の流束はその高さ方向のみがスロートにて絞られ、この後、乾燥ガスの流束は乾燥ダクトに向けて発散する。従って、ベンチュリダクト内にて乾燥ガス流が渦を形成することはないので、スロートの直下流にて、ベンチュリダクト内に投入された粒状材料は発散された乾燥ガス中に良好に分散され、この後、滞留することなく乾燥ダクトに導かれる。
具体的には、スロートは、ベンチュリダクトの底壁とベンチュリダクトの天井壁の一部との間にて規定され、天井壁の一部は縦断面でみて略Ｖ字形状をなしている。この場合、ベンチュリダクトの底壁は、スロートの下流に縦断面でみて略Ｖ字形をなす下流側底部分を有しているのが好ましく、この下流側底部分は、ベンチュリダクトの流路断面積を一時的に増加させるディープ領域を規定する。又は、ベンチュリダクトの底壁は直線的に延びていてもよい。
上述したベンチュリダクトによれば、スロートを通過した乾燥ガス流は、前述した供給位置から離れるように流れるので、ロータリフィーダからベンチュリダクト内への粒状材料の投入が円滑になされる。そして、スロートの下流では、ベンチュリダクトの流路断面積が増加されているので、粒状材料はベンチュリダクト内にて良好に分散される。
ここで、スロートの下流に前述したディープ領域が存在していれば、粒状材料の投入及び分散は更に良好になる。
ベンチュリダクトの流路断面積に関して、スロートよりも下流側での流路断面積の増加率は、ベンチュリダクトの内壁から乾燥ガス流を剥離させることない範囲に制限されている。乾燥ガス流の剥離はベンチュリダクト内にて乾燥ガス流中に渦を発生させるが、このような渦はベンチュリダクト内にて粒状材料を滞留させる。しかしながら、本発明のベンチュリダクト内には、粒状材料の滞留を招く乾燥ガス流の渦は発生しない。
分離セクションは、水平軸線を有したタンジェンシャルセパレータを備えており、このタンジェンシャルセパレータは、円筒状をなしたセパレータハウジングと、ロータリフィーダとを含む。より詳しくは、セパレータハウジングは、その外周の最上部に水平方向に開口して配置され、乾燥ダクトから乾燥ガス流とともに粒状材料を導入させるインレットと、セパレータハウジングの外周の最下部に下方に開口して配置され、セパレータハウジングから粒状材料を排出させるアウトレットと、セパレータハウジングの端面に水平軸線に対して偏心して開口され、セパレータハウジング内から乾燥ガスを排出する排気口と、セパレータハウジングの外周の最下部を形成し、アウトレットに向けて収束するように互いに対向した一対のリニア壁部とを有する。この場合、ロータリフィーダは、セパレータハウジングのアウトレットに接続され、セパレータハウジング内からアウトレットを通じて前記粒状材料を取出す。
上述した分離セクションによれば、セパレータハウジングのインレットから乾燥ガス流とともに流入した粒状材料はセパレータハウジングの内周壁から一方のリニア壁部を経てアウトレットに向けて流動し、これに対し、セパレータハウジング内の乾燥ガス流は排気口に向けて偏向される。より詳しくは、粒状材料を一方のリニア壁部まで流動させた乾燥ガス流は一方のリニア壁部から離れて他方のリニア壁部に衝突し、この後、他方のリニア壁部に沿って上昇し、排気口に向かう。従って、粒状材料は一方のリニア壁部からアウトレットに円滑に導かれ、セパレータハウジング内にて滞留することなく、アウトレットからロータリフィーダを通じて取り出される。この結果、粒状材料は乾燥ダクト及びタンジェンシャルセパレータを一定の時間で通過し、均一な乾燥処理を受ける。
インレット近傍の乾燥ダクトの部位の幅は増加又は減少させることができる。この場合、タンジェンシャルセパレータに流入する乾燥ガスの流速が変化されるので、タンジェンシャルセパレータ内にて粒状材料は良好に分散される。
更に、分離セクションは、ロータリフィーダの下方に複数段のシュートを更に含むことができる。これらシュートは鉛直方向に所定の間隔を存して一列に配置されており、ロータリフィーダから取り出された粒状材料はシュート間から外気を引込みながらシュートを順次通過する。このような外気の引込みは、粒状材料の冷却を促進する。
乾燥されるべき粒状材料がシガレットのための刻たばこであるとき、乾燥ガスは過熱水蒸気を含むことができる。この場合、乾燥後の刻たばこの水分量を９〜１４重量％にするには、乾燥ガスは１６０〜２６０℃の乾燥温度及び２．４〜１１．８ｋｇ／ｋｇの絶対湿度を有しているのが好ましい。又は、乾燥後の刻たばこの水分量を１２〜１４重量％にするには、乾燥ガスは１６０〜１９０℃の乾燥温度及び２．４〜１１．８ｋｇ／ｋｇの絶対湿度を有しているのが好ましい。
上述の乾燥条件下にて、刻たばこが乾燥されると、乾燥ガス流中の過熱水蒸気は、シガレットの主流煙の成分のうち、たばこ特異性ニトロソアミン類、フェノール類、ピリジン、キノリン、スチレン、そして、芳香族アミン類の成分を低減させることができる。
一方、前述した含浸剤、即ち、液化二酸化炭素を含浸した刻たばこが粒状材料として乾燥処理されるとき、乾燥ガスは過熱水蒸気を含んでいてもよいし、含んでいなくともよい。乾燥ガスが過熱水蒸気を含んでいる場合、乾燥後の刻たばこの水分量を２〜９重量％にするには、乾燥ガスは２５０〜３８０℃の乾燥温度及び２．４〜１１．８ｋｇ／ｋｇの絶対湿度を有しているのが好ましい。また、乾燥ガスが過熱水蒸気を含んでいない場合、乾燥後の刻たばこの水分量を９〜１２重量％にするには、乾燥ガスは２００〜３００℃の乾燥温度を有しているのが好ましい。
更に、乾燥ガスが過熱水蒸気を含んでいる場合、ガス流路は乾燥ガスの循環経路を形成し、そして、気流乾燥機は循環経路から乾燥ガスの流量の１０％以上を排気する排気手段を更に含んでいるのが好ましい。このようにして乾燥ガスの循環中、乾燥ガスの一部が排気されれば、乾燥ダクト内を流れる乾燥ガス流は新鮮な過熱水蒸気を含むことができ、上述した成分の低減効果が維持される。
発明を実施するための最良の形態
第１図は、粒状材料としての刻たばこの乾燥処理に使用される気流乾燥機を概略的に示す。
気流乾燥機はガス流路２を備え、ガス流路２には循環ファン４及びヒータ６が順次介挿されている。循環ファン４は空気等のガスをヒータ６に向けて送風する。ヒータ６はガスを所定の温度、具体的には１６０〜３００℃、好ましくは１８０〜２６０℃に加熱する。
循環ファン４とヒータ６との間のガス流路２の部位から蒸気供給管８が延び、この蒸気供給管８は水蒸気供給源に接続されている。蒸気供給管８には蒸気供給弁１０が介挿されている。蒸気供給弁１０が開かれたとき、水蒸気供給源から蒸気供給管８を通じてガス流路２中のガスに水蒸気が供給され、これより、ガス流路２内に過熱水蒸気を含んだ乾燥ガス流が発生される。ここで、乾燥ガス流の温度は１６０〜１９０℃であり、その絶対湿度は２．４〜１１．８ｋｇ／ｋｇの範囲にある。
ガス流路２は水平ダクト１２を有し、水平ダクト１２はヒータ６の下流側に配置されている。水平ダクト１２は受取りセクション１４に接続されており、受取りセクション１４からガス流路２内に粒状材料としての前述した刻たばこが供給される。
受取りセクション１４からは乾燥ダクト１６が延び、乾燥ダクト１６は分離セクションとしてのタンジェンシャルセパレータ１８に接続されている。乾燥ダクト１６はガス流路２の一部、即ち、前述した乾燥流路を形成する。
第１図から明らかなように乾燥ダクト１６は全体的にみて、上方に向けて凸の湾曲形状をなし、受取りセクション１４とタンジェンシャルセパレータ１８との間を円滑に接続している。
従って、ガス流路２内の乾燥ガスは、受取りセクション１４を通じて乾燥ダクト１６に流入し、この際の乾燥ガス流の流速は１３〜４０ｍ／ｓである。
タンジェンシャルセパレータ１８の排気口からは戻り流路２０が延びており、この戻り流路２０は前述した循環ファン４に接続されている。戻り流路２０の途中には、サイクロンセパレータ２２が介挿されている。
更に、ガス流路２からは排気管２４が分岐され、この排気管２４は循環ファン４と蒸気接続管８との間から延びている。排気管２４には排気制御弁２６及び排気ファン２８が順次介挿されている。排気ファン２８は、ガス流路２内を流れる乾燥ガス流の流量でみて、１０％以上の流量を排気管２４に導き、そして排気させる。
乾燥ダクト１６は乾燥ガス流の流れ方向でみて、上流側ダクト部分１６ａ及び下流側ダクト部分１６ｂを有する。上流側ダクト部分１６ａは受取りセクション１４に接続され、下流側ダクト部分１６ｂはタンジェンシャルセパレータ１８に接続されている。
第２図に示されるように乾燥ダクト１６の流路断面は矩形形状をなし、そして、その流路断面積は乾燥ダクト１６の長手方向に沿って一定であっても良いし、又は、変化してもよい。ここで、流路断面の高さ及び幅がＨ及びＷで示されるとき、幅Ｗに対する高さＨの比Ｒ（＝Ｈ／Ｗ）は１以下である。
上流側ダクト部分１６ａは上方に向けて実質的に直線的に延びている。具体的には、水平面と上流側ダクト部分１６と間の角度、即ち、仰角θは３０°〜６０°の範囲にある。
一方、下流側ダクト部分１６ｂは上方に向けて凸の湾曲形状をなし、下流側ダクト部分１６の両端は上流側ダクト部分１６ａの上端及びタンジェンシャルセパレータ１８の入口にそれぞれ滑らかに、即ち、正接的に接続されている。下流側ダクト部分１６ｂの曲率半径Ｒは６〜２０ｍであり、そして、乾燥ダクト１６の始端からタンジェンシャルセパレータ１８の出口までの経路長は８〜１５ｍである。
第３図は前述した受取りセクション１４を詳細に示す。
受取りセクション１４はベンチュリダクト３０を備え、このベンチュリダクト３０は前述した水平ダクト１２と乾燥ダクト１６、即ち、上流側ダクト部分１６ａとを接続している。ベンチュリダクト３０の流路断面は乾燥ダクト１６と同様な矩形形状の流路断面を有し、その流路断面の幅は乾燥ガス流の流れ方向に一定である。
ベンチュリダクト３０はスロート３２を有する。乾燥ガスがスロート３２を通過するとき、乾燥ガスの流速は増加される。具体的には、スロート３２を通過する乾燥ガスの流速は、乾燥ダクト１６内での乾燥ガスの流速よりも速い。
スロート３２はベンチュリダクト３０の天井壁の一部を凹ますことにより形成されており、上流側天井部分３４と下流側天井部分３６とを有する。これら天井部分３４，３６はベンチュリダクト３０の縦断面でみて略Ｖ字形を形作っている。即ち、上流側天井部分３４はベンチュリダクト３０の底壁に向けて傾斜しているのに対し、下流側天井部分３６はベンチュリダクト３０の底壁から離れる方向に傾斜し、そして、乾燥ダクト１６まで延びている。
一方、ベンチュリダクト３０の底壁は上流側底部分３１と、下流側底部分３３とを有し、上流側底部分３１は水平ダクト１２からスロート３２、即ち、ベンチュリダクト３０の流路断面が最も小さい位置まで真っ直ぐに延びている。上流側底部分３１に対して天井部分３４，３６がなす傾斜角α１，α２はそれぞれ２〜２０°の範囲にある。より好ましくは、傾斜角α１は傾斜角α２よりも大きく、これにより、ベンチュリダクト３０の流路断面積はスロート３２に向けて急減に減少された後、スロート３２から徐々に増加する。
ベンチュリダクト３０の下流側底部分３３は、ベンチュリダクト３０の縦断面でみて略Ｖ字形に形成されている。即ち、下流側底部分３３はスロート３２の下流にディープ領域３８を有している。従って、ベンチュリダクト３２の流路断面積はスロート３２にて一旦減少された後、スロート３２の下流のディープ領域３８に向けて徐々に増加され、そして、ディープ領域３８から乾燥ダクト１６に向けて徐々に減少する。
下流側底部分３３はスロート３２からディープ領域３８に至る傾斜面３９を有し、上流側底部分３１に対して、傾斜面３９がなす傾斜角βは前述した上流側天井部分３４の傾斜角α１と同一である。従って、傾斜面３９及び上流側天井部分３４は互いに平行である。このことは、スロート３２を通過した乾燥ガス流が傾斜面３９から剥離することなく流れることを意味する。つまり、ベンチュリダクト３０の流路断面積に関し、スロート３２よりも下流側の流路断面積の増加率はベンチュリダクト３０の底壁からの乾燥ガス流の剥離を招かないように設定されている。
更に、ベンチュリダクト３０の下流側天井部分３６は乾燥ダクト１６の上流側ダクト部分１６ａと同一の仰角を有している。
なお、水平ダクト１２の流路断面はベンチュリダクト３０と同様な矩形断面であってもよいし、又は、円形断面であってもよい。
ベンチュリダクト３０の下流側天井部分３６には供給口４０が開口しており、この供給口４０はスロート３２の直下流に位置付けられている。供給口４０にはロータリフィーダ４２の出口が直接に接続され、ロータリフィーダ４２の入口は刻たばこの供給ライン４４に接続されている。
ロータリフィーダ４２は円筒状のケーシングと、このケーシング内に回転可能に配置されたロータとを含み、このロータはその外周面には複数のポケット４６を有する。これらポケット４６はロータの周方向に等間隔を存して配置されている。ロータが回転されたとき、その１つのポケット４６はロータリフィーダ４２、即ち、そのハウジングの入口に接続される。この際、そのポケット４６は供給ライン４４から刻たばこを受け取ることができる。この後、受け取られた刻たばこはロータの回転に伴い、ポケット４６とともにハウジングの出口に向けて移送される。そして、ポケット４６が出口に合致したとき、ポケット４６内の刻たばこは供給口４４を通じてベンチュリダクト３０内に投入される。
ロータリフィーダ４２のロータは第３図でみて反時計方向に回転する。従って、各ポケット４６がハウジングの出口を通過するとき、そのポケット４６の移動方向は、ベンチュリダクト３０内の乾燥ガス流の流れ方向に一致する。
ここで、ロータリフィーダ４２に供給される刻たばこは、気流乾燥により膨化処理されるべき刻たばこであって、高い水分量を有する。具体的には、刻たばこの水分量は１７〜３５重量％、好ましくは１８〜２５重量％に調整されている。
第４図はタンジェンシャルセパレータ１８を示す。
タンジェンシャルセパレータ１８は円筒状のセパレータハウジング４８を備え、セパレータハウジング４８は水平軸線及びインレット５０を有する。インレット５０はセパレータハウジング４８の最上部に位置する外周に位置付けられ、セパレータハウジング４８の外周に対する正接方向、即ち、水平方向に突出している。インレット５０は乾燥ダクト１６の下流側ダクト部分１６ｂの下流端に滑らかに接続されている。従って、インレット５０の流路断面もまた矩形形状をなしており、水平軸線に沿うセパレータハウジング４８の厚みは乾燥ダクト１６の幅寸法に一致している。
更に、第４図から明らかなように、下流側ダクト部分１６ｂの下流端はインレット５０に向けて若干上昇する底を有する。
更に、セパレータハウジング４８はアウトレット５２を有し、このアウトレット５２はセパレータハウジング４８の最下部に位置する外周に位置付けられている。アウトレット５２は前述したロータリフィーダ４２と同様なロータリフィーダ５４の入口に直接的に接続されている。
セパレータハウジング４８の周壁は、前記インレット５０からの乾燥ガス流の流入方向でみて、インレット５０からアウトレット５２に向けて延びる円弧状のガイド壁５６と、アウトレット５２からインレット５０に向けて延びる円弧状のガイド壁５８とを有し、これらガイド壁５６，５８はそれらの下部にリニア壁部６０，６２を有する。これらリニア壁部６０，６２はロータリフィーダ５４の回転方向に離間し、そして、アウトレット５２に向けて収束するように延びている。第４図から明かなように、アウトレット５２の軸線は鉛直面に対して所定の角度γ（例えば、γ＝０〜３０°）を存して傾斜している。従って、ロータリフィーダ５４もまた傾斜した状態で、アウトレット５２に接続されている。
一方、セパレータハウジング４８の一方の端壁は排気口６４を有し、この排気口６４は前述した戻り管２０に接続されている。第４図から明らかなように、排気口６４は、ガイド壁５６よりもガイド壁５８側で、且つ、アウトレット５２よりもインレット５０側に位置付けられている。なお、セパレータハウジング４８はその両方の端壁に排気口６４をそれぞれ有することができ、この場合、これら排気口６４は戻り管２０にそれぞれ接続される。
更に、第１図に示されるように、ロータリフィーダ５４の出口の下方には、複数のシュート６６が上下方向に一列にして配置されている。これらシュート６６の上端はホッパ形状をなし、そして、上下に隣接するシュート６６間には所定の間隔が確保されている。
次に、上述した気流乾燥機の作動を以下に説明する。
乾燥ガス流がベンチュリダクト３０に導入されると、乾燥ガス流はベンチュリダクト３０内にて上方に向けられる。この際、乾燥ガス流の流束がスロート３２に向けて絞られることで、乾燥ガス流はその流速が増加された状態で、スロート３２を通過する。
前述したようにベンチュリダクト３０の流路断面はベンチュリダクト３０の長手方向に一定であり、そして、スロート３２の下流に位置するディープ領域３８は、スロート３２によりも下流におけるベンチュリダクト３０の流路断面を一時的に増加させている。換言すれば、スロート３２の上流側天井部分３４とディープ領域３８を形成する傾斜面３９は互いに平行である。それ故、スロート３２を通過した乾燥ガス流は第３図中の矢印Ｘで示すように、主としてディープ領域３８に向かい、この後、ディープ領域３８からベンチュリダクト３０の中心に向けて戻され、そして、乾燥ダクト１６に導かれる。
従って、スロート３２を通過した乾燥ガス流は供給口４０から離れるように流れ、乾燥ガス流が供給口４０からベンチュリダクト３０内への刻たばこの投入を妨げることはない。この結果、刻たばこはベンチュリダクト３０内に円滑に供給される。
また、スロート３２よりも下流側のベンチュリダクト３０の流路がディープ領域３８にて屈曲されることはない。従って、供給口４０から投入された刻たばこがディープ領域３８にて滞留することはなく、刻たばこはディープ領域３８にて良好に分散された後、ベンチュリダクト３０の中心に戻される。この結果、刻たばこが塊の状態のままで乾燥ダクト１６に導かれることはない。
しかも、ベンチュリダクト３０の下流部分は乾燥ダクト１６と同一の仰角θを存しているので、ベンチュリダクト３０内には乾燥ガス流の急激な上昇がもたらされる。このような乾燥ガスの上昇流は刻たばこの分散を更に促進する。
この後、刻たばこは乾燥ガス流とともにベンチュリダクト３０から乾燥ダクト１６内に導かれる。乾燥ダクト１６の上流側ダクト部分１６ａは直線状をなし、そして、その下流ダクト部分１６ｂは緩やかな円弧状をなしているので、乾燥ダクト１６は屈曲部を有していない。それ故、刻たばこは乾燥ダクト１６内にて一様に分散した状態で、乾燥ガス流とともに乾燥ダクト１６内を円滑に流れる。即ち、刻たばこは乾燥ダクト１６内にて滞留することなくタンジェンシャルセパレータ１８に導かれ、刻たばこが乾燥ダクト１６を通過するのに要する時間はほぼ一定となる。
従って、乾燥ダクト１６を通過する際、乾燥ダクト１６内にて一様に分散した刻たばこはその全表面が乾燥ガス流に良好に接触し、また、乾燥ダクト１６を通過する時間がほぼ一定であるので、刻たばこは乾燥ダクト１６内にて均一に乾燥される。この結果、刻たばこが過度に乾燥されたり、また、刻たばこの乾燥不足を招くこともなく、刻たばこの均一な乾燥処理が可能となり、刻たばこの風味や味覚の悪化が防止される。
更に、前述したように乾燥ダクト１６の流路断面積は乾燥ダクト１６の長手方向に一定であるから、刻たばこが乾燥ダクト１６内を通過する際、乾燥ダクト１６の内壁に対する刻タバコの衝突が低減される。それ故、乾燥処理すべき粒状材料が比較的破砕し易い刻たばこであっても、刻たばこの破砕が防止され、乾燥処理後の刻たばこの品質が高められる。ここで、乾燥処理により膨化される刻たばこや、再生たばこシートを裁断して得た刻たばこは特に破砕し易い。
この後、乾燥処理された刻たばこは乾燥ガス流とともにタンジェンシャルセパレータ１８のインレット５０内に導かれる。インレット５０はセパレータハウジング４８の外周から正接的に突出しているので、刻たばこはインレット５０を通じてセパレータハウジング４８内に円滑に流入することができる。即ち、刻たばこは、第４図中矢印Ｙで示されるようにガイド壁５６に沿って円滑に案内されながら、アウトレット５２に向けて流動する。従って、刻たばこがセパレータハウジング４８のガイド壁５６に強く衝突することはない。
一方、セパレータハウジング４８内は排気口６４を通じて排気されている。この排気はインレット５０から流入する乾燥ガス流と協働して、セパレータハウジング４８内に第４図中破線Ｚで示される旋回流を発生させ、この旋回流は排気口６４に向かう。このような旋回流は、ガイド壁５６に沿って流れようとする乾燥ガス流をガイド壁５６から分離させるように働き、この後、乾燥ガス流はアウトレット５２に連なるリニア壁部６２に衝突し、そして、排気口６４に向かう。
ガイド壁５６に沿って流動する刻たばこがアウトレット５２に連なるリニア壁部６０に至ると、刻たばこは乾燥ガス流から実質的に分離される。この後、刻たばこはリニア壁部６０に案内されながら円滑に流下し、アウトレット５２からロータリフィード５４を通じて排出される。それ故、刻たばこは、セパレータハウジング４８内にて滞留することはなく、刻たばこがタンジェンシャルセパレータ１８を通過するのに要する時間もまた一定となり、タンジェンシャルセパレータ１８内にて、刻たばこが過熱されることはない。
従って、供給セクション１４にて供給された刻たばこがタンジェンシャルセパレータ１８から排出されるまでの時間、即ち、刻たばこのトータルな乾燥時間は一定となり、この結果、刻たばこの均一な乾燥処理が担保される。
具体的には、上述した気流乾燥機の場合、刻たばこのトータルな乾燥時間は０．５〜１．８ｓｅｃである。このことは、気流乾燥機内にて、刻たばこが滞留せず、刻たばこの過乾燥が防止されていることを意味する。
また、タンジェンシャルセパレータ１８から排出された刻たばこの水分量は９〜１４重量％、好ましくは１２〜１４重量％であり、刻たばこの水分量は急激に減少される。
このように刻たばこが急激に乾燥されるとき、刻たばこ中の水分は急速に蒸発する。このような水分の蒸発は、刻たばこをカールさせ、乾燥後の刻たばこはいわゆるカーリング刻たばことなる。このようなカーリング刻たばこは高い膨嵩性を有するので、シガレット内の刻たばこの充填密度を低下させることができる。
ロータリフィーダ５４のアウトレットから排出された刻たばこは、前述した複数段のシュート６６を順次通過しながら落下する。この際、刻たばこの落下は上下に隣接するシュート６６間から下側のシュート６６内に外気を引込むので、刻たばこは外気により良好に冷却され、刻たばこの風味や味覚の悪化が防止される。
セパレータハウジング４８内の乾燥ガス流はその排気口６４から排気され、そして、サイクロンセパレータ２２を通過する。この際、サイクロンセパレータ２２は乾燥ガス流から刻たばこの微粉末等などを除去する。
上述の気流乾燥機にて乾燥された刻たばこを使用して対象シガレットＡ，Ｂ，Ｃが製造され、一方、通常のシリンダ乾燥機にて乾燥された刻たばこを使用して対象シガレットＡ〜Ｃに対応する比較シガレットが製造された。この後、これらシガレットから発生する主流煙の成分量が測定され、幾つかの成分量に関して、以下の第１表に示す比較結果が得られた。ここで、第１表の比較結果は、比較シガレットを基準とした対象シガレットにおける煙成分量の減少率を示す。
2003046453.tif 000003
なお、第１表中、ＮＮＮはニトロソノルニコチン、ＮＡＴはニトロソアナタビン、ＮＡＢはニトロソアナバシン、ＮＮＫは４−Ｎ−ニトロソメチルアミノ−１−３−ビリディル−１−ブタノンを示す。
対象シガレットＡ〜Ｃの刻たばこは前述の気流乾燥機にて、以下の乾燥条件で処理された。
乾燥ガス流の温度：          １６０〜１９０℃
乾燥ガス流の流速：          １７ｍ／ｓ
乾燥ガス流の絶対湿度：          ５．６ｋｇ／ｋｇ
乾燥ガス流における流量の排気率：５０％
乾燥前の刻たばこの水分量：      ２０重量％
乾燥後の刻たばこの水分量：      １３重量％
乾燥前の刻たばこの供給流量：８０ｋｇ／ｈ
対象シガレットＡ，Ｃの刻たばこは複数種の充填材料を含み、これら充填材料は一括にして乾燥処理された。これに対し、対象シガレットＢの刻たばこもまた複数種の充填材料を含み、これら充填材料は個別に乾燥処理された。より詳しくは、対象シガレットＡ，Ｂはマイルドセブン（商標）であり、対象シガレットＣはハイライト（商標）である。
一方、比較シガレットの刻たばこは通常のシリンダ乾燥機にて乾燥処理された。シリンダ乾燥機の乾燥条件は以下の通りであった。
シリンダ壁の加熱温度：１２０℃
加熱空気の温度：            ６０℃
加熱空気の絶対湿度：  ０．１ｋｇ／ｋｇ以下
加熱空気の排気率：          ２０％
第１表から明らかなように、対象シガレットＡ〜Ｃの刻たばこは比較シガレットの刻たばこに比べて、主流煙に含まれるたばこ特異性ニトロソアミン類、フェノール類、ピリジン、キノリン及びスチレン、並びに、芳香族アミン類等の成分がほぼ低減されている。これには、刻たばこが加熱空気ではなく、乾燥ガス流により乾燥されたことに起因すると考えられる。
なお、乾燥後の刻たばこの水分量を９重量％まで更に減少させるには、乾燥ガスの温度を２６０℃まで上昇させることができる。
第６図中の実線は、受取りセクション１４から供給された刻たばこがタンジェンシャルセパレータ１８から排出されるまでに要する時間分布、即ち、刻たばこが本実施例の気流乾燥機を通過するのに要する時間分布を示す。また、第６図中の１点鎖線及び２点鎖線は、刻たばこが従来の気流乾燥機を通過するのに要する時間分布をそれぞれ示す。
第６図から明らかなように、本実施例の気流乾燥機の場合、刻たばこの通過時間のばらつきは±０．２ｓｅｃ以内に収められており、これにより、刻たばこが均一に乾燥処理されることが分かる。なお、一点鎖線の特性を有する従来の気流乾燥機はＣ形の乾燥ダクトを有し、２点鎖線の特性を有する従来の気流乾燥機はＳ形の乾燥ダクトを有する。
更に、第７図は、乾燥ダクト内での乾燥ガスの流速に対する刻たばこの破砕度合を示す。ここで、刻たばこの破砕度合は受取りセクション１４から供給される刻たばこの初期粒径（１．９ｍｍ）とタンジェンシャルセパレータ１８から排出される刻たばこの粒径との間の開差で表される。第７図から明らかなように本実施例の気流乾燥機によれば、乾燥ガスの流速が増加されても、刻たばこの粒径開差は余り増加しない。これに対し、従来の気流乾燥機の場合、乾燥ガスの流速が増加すればするほど、刻たばこの粒径開差は増大する。
本発明は、上述した一実施例に制約されるものではなく、種々に変形可能である。
例えば、第５図に示した供給セクション１４、即ち、ベンチュリダクト３０は前述したディープ領域３８を有しておらず、直線的に延びる底壁を有している。この場合にも、スロート３２を通過した乾燥ガス流は供給口４０から離れるように向けられるので、供給口４０からベンチュリダクト３０内への刻たばこの投入は円滑に行われる。また、ディープ領域３８が存在していなくても、スロート３２によりも下流側のベンチュリダクト３０の流路断面積は乾燥ダクト１６に向けて徐々に増加されているので、刻たばこは良好に分散される。
更に、本発明の気流乾燥機は、前述した含浸剤として液化二酸化炭素が含浸された刻たばこの乾燥処理にも適用することができる。
この場合の気流乾燥機の仕様に関して、前述した気流乾燥機の仕様と異なる点のみを以下に列挙する。
乾燥ガス（過熱水蒸気を含む）の温度：１６０〜４００℃、好ましくは２５０〜３８０℃
傾斜角β：０°
乾燥後の刻たばこの水分量：２〜９重量％、好ましくは２〜７重量％
また、乾燥ガスが過熱水蒸気を含んでいないとき、乾燥ガスは２００〜３００℃の温度を有しているのが好ましく、この場合、乾燥後の刻たばこの水分量は９〜１２重量％に調整される。
更に、本発明の気流乾燥機は刻たばこのみならず、他の種々の粒状材料の乾燥にも同様に適用可能である。それ故、乾燥ダクト１６、タンジェンシャルセパレータ１８及びベンチュリダクト３０等の具体的な大きさや形状等は乾燥処理すべき粒状材料に応じて変更可能である。
【図面の簡単な説明】
第１図は、気流乾燥機の概略構成図、
第２図は、乾燥ダクトの断面図、
第３図は、一実施例の受取りセクションの断面図、
第４図は、タンジェンシャルセパレータの縦断面図、
第５図は、変形例のベンチュリダクトの断面図、
第６図は、粒状材料としての刻たばこが気流乾燥機内を通過するとき、刻たばこの通過時間の分布を示したグラフ、
第７図は、乾燥ダクト内での乾燥ガスの流速に対する刻たばこの破砕度合を表したグラフである。
【図１】
2003046453.tif 000004
【図２】
2003046453.tif 000005
【図３】
2003046453.tif 000006
【図４】
2003046453.tif 000007
【図５】
2003046453.tif 000008
【図６】
2003046453.tif 000009
【図７】
2003046453.tif 000010
【手続補正書】
【提出日】平成15年5月1日(2003.5.1)
【手続補正１】
【補正対象書類名】明細書
【補正対象項目名】特許請求の範囲
【補正方法】変更
【補正の内容】
【特許請求の範囲】
【請求項１】
（補正後）粒状材料を乾燥するための気流乾燥機は、
ガス流路と、
前記ガス流路内に所定温度の乾燥ガス流を一方向に発生させる送風手段と、
前記ガス流路に介挿され、前記乾燥ガス流により乾燥処理すべき粒状材料を前記ガス流路内に供給可能な供給セクションであって、前記粒状材料は前記乾燥ガス流とともに移送され、この移送過程にて乾燥される、供給セクションと、
前記ガス流路に前記供給セクションよりも下流に位置して設けられ、前記乾燥ガス流から前記乾燥済みの粒状材料を分離し、前記ガス流路から排出する分離セクションと
を備え、
前記ガス流路は、前記供給セクションと前記分離セクションとの間を接続し、且つ、前記供給セクションから供給された前記粒状材料を前記乾燥ガス流とともに前記分離セクションに向けて滞留することなく円滑に案内する乾燥ダクトを含み、前記乾燥ダクトは上方に向けて凸の湾曲形状を有する。
【請求項２】
請求項１の気流乾燥機において、
前記乾燥ダクトは、
前記供給セクションから上方に向けて直線的に延び、且つ、水平面に対して所定の仰角を有した上流側ダクト部分と、
前記上流側ダクト部分及び前記分離セクションにそれぞれ滑らかに連なり、且つ、所定の曲率半径を有する湾曲した下流側ダクト部分と
を含む。
【請求項３】
請求項２の気流乾燥機において、
前記上流側ダクト部分の仰角は３０°〜６０°の範囲にある。
【請求項４】
（補正後）請求項１の気流乾燥機において、
前記供給セクションは、
前記乾燥ダクトの前記上流側ダクト部分と同一の仰角を存して傾斜したベンチュリダクトであって、スロートと、前記スロートと前記乾燥ダクトの前記上流側ダクト部分との間を接続し、前記上流側ダクト部分に対して一直線に連なる下流部分とを有したベンチュリダクトと、
前記ベンチュリダクトに接続され、前記スロートの直下流に規定された供給位置から前記ベンチュリダクト内に前記粒状材料を投入するロータリフィーダと
を含む。
【請求項５】
請求項４の気流乾燥機において、
前記ベンチュリダクト及び前記乾燥ダクトはそれらの長手方向に沿って矩形の流路断面形状をそれぞれ有し、
前記ベンチュリダクトの流路断面はその長手方向に沿って一定の幅を有する。
【請求項６】
請求項５の気流乾燥機において、
前記スロートは、前記ベンチュリダクトの底壁と前記ベンチュリダクトの天井壁の一部との間にて規定され、前記天井壁の一部は縦断面でみて略Ｖ字形状をなしている。
【請求項７】
請求項６の気流乾燥機において、
前記ベンチュリダクトの底壁は、前記スロートの下流に縦断面でみて略Ｖ字形をなす下流側底部分を有し、前記下流側底部分は、前記ベンチュリダクトの流路断面積を一時的に増加させるディープ領域を規定する。
【請求項８】
請求項６の気流乾燥機において、
前記ベンチュリダクトの底壁は直線的に延びている。
【請求項９】
請求項１の気流乾燥機において、
前記分離セクションは、水平軸線を有したタンジェンシャルセパレータを含む。
【請求項１０】
請求項９の気流乾燥機において、
前記タンジェンシャルセパレータは、
円筒状をなしたセパレータハウジングであって、
前記セパレータハウジングは、その外周の最上部に水平方向に開口して配置され、前記乾燥ダクトから前記乾燥ガス流とともに前記粒状材料を導入させるインレットと、
前記セパレータハウジングの外周の最下部に下方に開口して配置され、前記セパレータハウジングから前記粒状材料を排出させるアウトレットと、
前記セパレータハウジングの端面に前記水平軸線に対して偏心して開口され、前記セパレータハウジング内から前記乾燥ガスを排出する排気口と、
前記セパレータハウジングの外周の最下部を形成し、前記アウトレットに向けて収束するように互いに対向した一対のリニア壁部と
を有する、セパレータハウジングと、
前記セパレータハウジングの前記アウトレットに接続され、前記セパレータハウジング内から前記アウトレットを通じて前記粒状材料を取出すロータリフィーダと
を含む。
【請求項１１】
請求項１０の気流乾燥機において、
前記分離セクションは、
前記ロータリフィーダの下方に複数段のシュートを更に含み、前記シュートは鉛直方向に所定の間隔を存して一列に配置されており、前記ロータリフィーダから取り出された前記粒状材料は、前記シュート間から外気を引込みながら前記シュートを順次通過する。
【請求項１２】
（補正後）請求項１の気流乾燥機において、
前記粒状材料はシガレットのための刻たばこであり、
前記乾燥ガスは過熱水蒸気を含み、且つ、乾燥後の前記刻たばこの水分量を９〜１４重量％にすべく、１６０〜２６０℃の乾燥温度、２．４〜１１．８ｋｇ／ｋｇの絶対湿度及び前記乾燥ダクト内にて１３〜４０ｍ／ｓの流速を有する。
【請求項１３】
請求項１の気流乾燥機において、
前記粒状材料はシガレットのための刻たばこであり、
前記乾燥ガスは過熱水蒸気を含み、且つ、乾燥後の前記刻たばこの水分量を１２〜１４重量％にすべく１６０〜１９０℃の乾燥温度及び２．４〜１１．８ｋｇ／ｋｇの絶対湿度を有する。
【請求項１４】
請求項１２又は１３の気流乾燥機において、
前記ガス流路は前記乾燥ガスの循環経路を形成し、
前記気流乾燥機は、前記循環経路から前記乾燥ガスの流量の１０％以上を排気する排気手段を更に含む。
【請求項１５】
請求項１の気流乾燥機において、
前記粒状材料は液化二酸化炭素が含浸された刻たばこであり、
前記乾燥ガスは過熱水蒸気を含み、且つ、乾燥後の刻たばこの水分量を２〜９重量％にすべく２５０〜３８０℃の乾燥温度及び２．４〜１１．８ｋｇ／ｋｇの絶対湿度を有する。
【請求項１６】
請求項１の気流乾燥機において、
前記乾燥ガスは、乾燥後の刻たばこの水分量を９〜１２重量％にすべく２００〜３００℃の乾燥温度を有する。
【請求項１７】
請求項１５又は１６の気流乾燥機において、
前記ガス流路は前記乾燥ガスの循環経路を形成し、
前記気流乾燥機は、前記循環経路から前記乾燥ガスの流量の１０％以上を排気する排気手段を更に含む。
【国際調査報告】
2003046453.tif 000011
2003046453.tif 000012
2003046453.tif 000013
2003046453.tif 000014